(57)【要約】【課題】階段の建物外壁面からの飛び出し量Ｄを抑制しつつ、間口の幅方向寸法Ｗを、所望の寸法として外観品質を向上させることが出来る階段構造を提供する。【解決手段】正面視中央に位置するＵ字状階段１３が、建物ユニット１１…のうち、正面視左，右両手前側に位置する建物ユニット１１，１１間の開口部に位置して、奥行き方向で、約半分（約９００ｍｍ）だけ、重複されて設置されている。Ｕ字状階段１３では、下部に位置する右辺１７の段部１７…の段数が、上面視略正方形形状の下側コーナー踊り場２３を含めて、６段に設定され、中央部に位置する正面辺１６の段部２１…の段数が、正面玄関上踊り場２４を含めて、５段、上部に位置する左辺１５の段部２０…の段数が、上階玄関ポーチ部１８を含めて４段とし、左辺１５の段部２０…の段数（３段）よりも、右辺１７の段部２０…の段数（５段）を、多くしている。【選択図】図１
2008057219.tif 000002
【特許請求の範囲】
【請求項１】
各々段部が形成されて、上下方向で上部に位置する辺、中央部に位置する辺、及び下部に位置する辺からなる三辺を有するＵ字状階段が設けられた階段構造であって、
上下方向で、上部に位置する辺の段部の段数よりも、下部に位置する辺の段部の段数が多くなるように設定されることを特徴とする階段構造。
【請求項２】
上下方向で中央部に位置する辺を、該Ｕ字状階段が設置される建物の開口部に位置させて、正面視を左，右非対称とすると共に、該中央部に位置する辺の段部を、下部側の辺に寄せて形成したことを特徴とする請求項１記載の階段構造。
【請求項３】
前記上下方向で、下部に位置する辺の段部の段数を、５〜７段とすると共に、中央部に位置する辺の段部の段数を、４〜６段として、上部に位置する辺の段部の段数を、３〜５段としたことを特徴とする請求項１又は２記載の階段構造。
【請求項４】
前記上下方向で中央部に位置する辺を、該Ｕ字状階段が設置される建物の開口部に位置させて、該建物に設けられた居室部分と、前記上部若しくは下部に位置する辺を奥行き方向で、少なくとも一部重複させて、該上部若しくは下部に位置する辺のうち、少なくとも何れか一方に段部を形成したことを特徴とする請求項１乃至３のうち、何れか一項記載の階段構造。
【請求項５】
前記建物は、ユニット建物で、前記開口部の両側に位置する該ユニット建物を構成する建物ユニットの間に、前記Ｕ字状階段が、挟まれていることを特徴とする請求項２乃至４のうち、何れか一項記載の階段構造。
【発明の詳細な説明】
【技術分野】
【０００１】
この発明は、建物、特に、賃貸アパート等の集合住宅の階段部に用いられて、外壁部からの飛び出し量を減少させることが出来る階段構造に関するものである。
【背景技術】
【０００２】
従来、図５に示すような建物の外階段構造が知れられている（例えば、特許文献１等参照）。
【０００３】
まず、構成から説明すると、この建物としての集合住宅１では、階段部としての階段室２の両側に、隔壁部３を介して、２戸の世帯としての住戸４，４が、略対称となるように配置されている。
【０００４】
このような従来の外階段構造の階段室２では、前記隔壁部３延設方向に直交する方向で、集合住宅１の正面側の外壁面５に沿う辺６に、１３段、全ての段部７…が形成されている。
【０００５】
次に、この従来の外階段構造の作用について説明する。
【０００６】
このように構成された従来の外階段構造では、集合住宅１の正面側の外壁面５に沿う辺６に、１３段、全ての段部７…が形成されている。
【０００７】
このため、前記階段室２の外壁面５からの飛び出し量Ｄが、抑制されている。
【特許文献１】特開平６−３１７０３１号公報
【発明の開示】
【発明が解決しようとする課題】
【０００８】
しかしながら、このような従来の階段構造では、前記階段室２の集合住宅１の正面側の外壁面５に沿う辺６に、１３段、全ての段部７…が形成されている。
【０００９】
このため、集合住宅１の正面視で、前記階段室２の間口の幅方向寸法Ｗが、約４Ｍ以上必要となるといった問題があった。
【００１０】
そこで、この発明は、階段の建物外壁面からの飛び出し量Ｄを抑制しつつ、間口の幅方向寸法Ｗを、所望の寸法として外観品質を向上させることが出来る階段構造を提供することを課題としている。
【課題を解決するための手段】
【００１１】
上記目的を達成するために、請求項１に記載された発明は、各々段部が形成されて、上下方向で上部に位置する辺、中央部に位置する辺、及び下部に位置する辺からなる三辺を有するＵ字状階段が設けられた階段構造であって、上下方向で、上部に位置する辺の段部の段数よりも、下部に位置する辺の段部の段数が多くなるように設定される階段構造を特徴としている。
【００１２】
また、請求項２に記載されたものは、上下方向で中央部に位置する辺を、該Ｕ字状階段が設置される建物の開口部に位置させて、正面視を左，右非対称とすると共に、該中央部に位置する辺の段部を、下部側の辺に寄せて形成した請求項１記載の階段構造を特徴としている。
【００１３】
更に、請求項３に記載されたものは、前記上下方向で、下部に位置する辺の段部の段数を、５〜７段とすると共に、中央部に位置する辺の段部の段数を、４〜６段として、上部に位置する辺の段部の段数を、３〜５段とした請求項１又は２記載の階段構造を特徴としている。
【００１４】
そして、請求項４に記載されたものは、前記上下方向で中央部に位置する辺を、該Ｕ字状階段が設置される建物の開口部に位置させて、該建物に設けられた居室部分と、前記上部若しくは下部に位置する辺を奥行き方向で、少なくとも一部重複させて、該上部若しくは下部に位置する辺のうち、少なくとも何れか一方に段部を形成した請求項１乃至３のうち、何れか一項記載の階段構造を特徴としている。
【００１５】
また、請求項５に記載されたものは、前記建物は、ユニット建物で、前記開口部の両側に位置する該ユニット建物を構成する建物ユニットの間に、前記Ｕ字状階段が、挟まれている請求項２乃至４のうち、何れか一項記載の階段構造を特徴としている。
【発明の効果】
【００１６】
このように構成された請求項１記載のものは、上下方向で、下部に位置する辺の段部の段数が、上部に位置する辺の段部の段数よりも、多くなるように設定されている。
【００１７】
このため、中央部に位置する辺の段部の段数を、上部及び下部に位置する辺の段部に分散させて、減少させることができるので、階段の建物外壁面からの飛び出し量Ｄを抑制しつつ、間口の幅方向寸法Ｗを、比較的小さく、所望の寸法に設定できる。
【００１８】
また、前記中央部に位置する辺の上下方向の高さ位置を、比較的高く設定できる。
【００１９】
よって、前記中央部の辺に、踊り場等を設定しても、該踊り場の下方を、人が通過可能な程度の高さ方向寸法を、前記踊り場下面部と、地面との間に設けることができる。
【００２０】
また、請求項２に記載されたものは、上下方向で中央部に位置する辺が、該Ｕ字状階段が設置される建物の開口部に位置すると共に、正面視が左，右非対称となるように、該中央部に位置する辺の段部が、下部側の辺に寄せて形成されている。
【００２１】
このため、前記中央部に位置する辺では、上部側の辺に寄せて、下方に人が通過可能な踊り場を形成出来、該踊り場の下方を、共通玄関等とすることにより、単調になりがちな集合住宅の外観に変化を持たせることが出来る。
【００２２】
更に、請求項３に記載されたものは、前記上下方向で、下部に位置する辺の段部の段数を、５〜７段とすると共に、中央部に位置する辺の段部の段数を、４〜６段として、上部に位置する辺の段部の段数を、３〜５段としている。
【００２３】
このため、下部に位置する辺の段部を比較的、多めに設定することにより、中央部に位置する辺の段部を、多く設定しなくても、該中央部に位置する辺に設けられる踊り場の下方に人が通過可能な高さ、例えば、１９００ｍｍ以上の上下方向寸法を確保できる。
【００２４】
よって、踊り場を形成した中央部の辺の間口の幅方向寸法Ｗを、踊り場の間口の幅方向寸法（約９００ｍｍ以上）を含んで、３６００ｍｍ以下とすることが出来る。
【００２５】
そして、請求項４に記載されたものは、前記上下方向で中央部に位置する辺が、Ｕ字状階段が設置される建物の開口部に位置して、該建物に設けられた居室部分と、前記上部若しくは下部に位置する辺を奥行き方向で、少なくとも一部重複させて、該上部若しくは下部に位置する辺のうち、少なくとも何れか一方に段部が形成されている。
【００２６】
このように、奥行き方向で重複する辺に、段部が形成されることにより、階段の建物外壁面からの飛び出し量Ｄを減少させることが出来る。
【００２７】
更に、Ｕ字状階段が設置される建物の開口部に位置して、中央部を構成する辺の間口方向の寸法を所望の寸法として外観品質を向上させることが出来る。
【００２８】
また、請求項５に記載されたものは、前記開口部の両側に位置する前記建物ユニットの間に、前記Ｕ字状階段が、挟まれて、ユニット建物が構成されている。
【００２９】
このため、集合住宅では、該Ｕ字状階段の両側に振り分けられた各建物ユニットに設けられる世帯の間に、前記階段で構成される共有スペースを設ける場合等、スペース効率が良好で、しかも、レイアウトの自由度を向上させたプランニングが可能となる。
【発明を実施するための最良の形態】
【００３０】
以下、本発明の実施の形態について、図面を参照しつつ説明する。
【００３１】
図１乃至図４は、この発明の最良の実施の形態の階段構造を示すものである。なお、前記従来例と同一乃至均等な部分については、同一符号を付して説明する。
【００３２】
まず、構成から説明すると、この実施の形態の階段構造は、図１に示すような建物ユニット１１…及び１２，１２を複数組み合わせてなる二階建ての建物としてのユニット建物１０に設けられているものである。
【００３３】
すなわち、このユニット建物１０には、左，右に振り分けられた住戸４，４が、隔壁部３によって、建物略中央で仕切られていると共に、正面視中央に位置する前記建物ユニット１２，１２と、略同一の間口寸法Ｗ１を有する階段としてのＵ字状階段１３が設けられている。
【００３４】
このＵ字状階段１３は、前記建物ユニット１１…のうち、正面視左，右両手前側に位置する建物ユニット１１，１１間の開口部に位置して、奥行き方向で、約半分（約９００ｍｍ）だけ、重複されて設置されている。
【００３５】
このため、最も手前に位置する建物ユニット１１の外壁面５から、寸法Ｄ１（Ｄ１＝約９００ｍｍ）、中央部の端縁部１３ａが突設されて構成されている。
【００３６】
このＵ字状階段１３には、中央部に、上下方向に空間を連続させる吹き抜け部１４が開口形成されると共に、この吹き抜け部１４の周囲を、囲むように、各住戸４，４の個別玄関部４ａ，４ａ前に位置する玄関ポーチ部１８と、階段部を主に構成する上下方向で上部に位置する左辺１５、中央部に位置する正面辺１６、及び下部に位置する右辺１７からなる三辺とを有している。
【００３７】
このうち、この実施の形態では、前記上下方向で、下部に位置する右辺１７の段部１７…の段数が、上面視略正方形形状の下側コーナー踊り場２３を含めて、６段に設定されると共に、中央部に位置する正面辺１６の段部２１…の段数が、前記正面玄関上踊り場２４を含めて、５段として、上部に位置する前記左辺１５の段部２０…の段数を、上階玄関ポーチ部１８を含めて４段とすることにより、上下方向で、上部に位置する左辺１５の段部２０…の段数（３段）よりも、下部に位置する右辺１７の段部２０…の段数（５段）が、多くなるように設定されている。
【００３８】
しかも、この実施の形態では、前記正面辺１６の段部２１…を、右辺１７側である正面視右側に寄せて形成し、前記下側コーナー踊り場２３の一側辺に隣接させると共に、図２で示されるような縦壁部２５によって、正面視で視認できないように覆われている。
【００３９】
また、前記正面辺１６の前記正面玄関上踊り場２４は、図１に示すように、上面視で、略Ｌ字状を呈するように、前記左辺１５の一部内まで、延設されていると共に、前記右辺１７及び正面辺１６の各段部２２…及び段部２１…の段数を比較的多くなるように設定することにより、この正面辺１６の間口方向寸法Ｗ１を、３６００ｍｍ以下としながら、正面玄関上踊り場２４の間口方向寸法を約９００ｍｍ以上、この実施の形態では、Ｗ２＝約１８００ｍｍとしている。
【００４０】
また、この正面玄関上踊り場２４の下面側から、地面に至るまでの上下方向の高さ寸法を、１９００ｍｍ以上確保している。
【００４１】
このため、正面玄関上踊り場２４の下方に設けられる各住戸４，４が共用する正面玄関として、図２に示すように、２枚扉の玄関ドア２８が用いられて、構成されている。
【００４２】
そして、これらの正面玄関上踊り場段部２１の周囲が、複数の半透明目隠しボード部材２７…を有する手摺り部２６によって、覆われるように構成されて、正面視で、この右側と左側とで、構造及び外観を異ならせる左，右非対称形状としている。
【００４３】
しかも、この実施の形態では、前記最も手前に位置する建物ユニット１１の外壁面５から、端縁部１３ａが、寸法Ｄ１（Ｄ１＝約９００ｍｍ）のみ突設されているので、前記正面辺１６内の階段を構成する段部２１…及び、正面玄関上踊り場２４部分が、外壁面５から外側に位置して、前記吹き抜け部１４が、前記外壁面５よりも、ユニット建物１０の内側に位置するように構成されている。
【００４４】
次に、この実施の形態の階段構造の作用効果について説明する。
【００４５】
このように構成された実施の形態の階段構造では、前記Ｕ字状階段１３の上下方向で、下部に位置する右辺１７の段部２２の段数が、上部に位置する左辺１５の段部２０の段数よりも、多くなるように設定されている。
【００４６】
このため、中央部に位置する正面辺１６の段部２１…の段数を、上部及び下部に位置する左辺１５及び右辺１７の段部２１…及び段部２２…に段数を分散させて、前記下側コーナー踊り場２３から前記正面玄関上踊り場２４までの段部２１…の段数を減少させることができる。
【００４７】
よって、ユニット建物１０を構成する外壁面５からの前記Ｕ字状階段１３の飛び出し量Ｄ１を抑制しつつ、間口の幅方向寸法Ｗ１を、比較的小さく、所望の寸法、この実施の形態では、Ｗ１＝約３６００ｍｍに設定できる。
【００４８】
このため、例えば、Ｕ字状階段１３の建物内側に位置する共有部分である前記玄関ポーチ部１８の面積を、最小限とすることができると共に、屋根部２９の張り出し面積等を減少させて、建材の部品点数の増大を抑制できる。
【００４９】
また、この前記中央部に位置する正面辺１６が、上り方向で開始される前記下側コーナー踊り場２３の上下方向の高さ位置を、比較的高く設定できる。
【００５０】
よって、前記中央部の正面辺１６に、前記段部１６…に続いて、正面玄関上踊り場２４等を設定しても、正面玄関上踊り場２４の下方を、人が通過可能な程度の高さ方向寸法を、前記正面玄関上踊り場２４の下面側から、地面に至るまでの上下方向の高さ寸法を、１９００ｍｍ以上設定することができる。
【００５１】
更に、この実施の形態では、上下方向で中央部に位置する正面辺１６が、Ｕ字状階段１３が設置されているユニット建物１０の建物ユニット１１，１１間の開口部に位置すると共に、正面視で、左，右非対称となるように、正面辺１６の段部２１…が、下部側の右辺１７に寄せて、前記下側コーナー踊り場２３に隣接配置されて形成されている。
【００５２】
このため、前記正面辺１６では、上部側の左辺に寄せて、下方に人が通過可能な正面玄関上踊り場２４を、間口方向寸法が、この実施の形態では、Ｗ２＝約１８００ｍｍまで、広く形成出来、この正面玄関上踊り場２４の下方を、共通玄関として好適な２枚扉の玄関ドア２８とすることにより、高級感を醸し出し、単調になりがちな集合住宅の外観に変化を持たせることが出来る。
【００５３】
すなわち、この実施の形態では、前記上下方向で、下部に位置する右辺１７の段部２２…の段数が、上面視略正方形形状の下側コーナー踊り場２３を含めて、６段に設定されると共に、中央部に位置する正面辺１６の段部２１…の段数が、前記正面玄関上踊り場２４を含めて、５段として、上部に位置する前記左辺１５の段部２０…の段数を、上階玄関ポーチ部１８を含めて４段とすることにより、上下方向で、上部に位置する左辺１５の段部２０…の段数（３段）よりも、下部に位置する右辺１７の段部２０…の段数（５段）が、多くなるように設定されている。
【００５４】
このように、下部に位置する右辺１７の段部２０…を比較的、多めに設定することにより、中央部に位置する正面辺１６の段部２１…を、多く設定しなくても、この正面辺１６に設けられる正面玄関上踊り場２４の下方に人が通過可能な高さ、例えば、１９００ｍｍ以上の上下方向寸法が確保される。
【００５５】
よって、約９００ｍｍの幅方向寸法を有して、下側コーナー踊り場２３が形成される中央部の正面辺１６の間口の幅方向寸法Ｗ１が、前記正面玄関上踊り場２４の間口の幅方向寸法（約１８００ｍｍ）を含んでも、３６００ｍｍ以下とすることが出来る。
【００５６】
そして、前記上下方向で中央部に位置する正面辺１６が、Ｕ字状階段１３が設置されるユニット建物１０の中央開口部に位置して、ユニット建物１０に設けられた住戸４，４等の居室部分と、前記上部若しくは下部に位置する左辺１５及び右辺１７を奥行き方向で、少なくとも一部重複させて、重複部分に、各々段部２０…及び２２…が形成されている。
【００５７】
このように、奥行き方向で、建物ユニット１１，１１と重複する左辺１５及び右辺１７に、段部２０…及び２２…が形成されることにより、Ｕ字状階段１３のユニット建物１０の外壁面５からの飛び出し量Ｄ１を、約９００ｍｍまで減少させることが出来る。
【００５８】
更に、Ｕ字状階段１３が、ユニット建物１０の開口部に設置されて位置して、中央部を構成する正面辺１６の間口方向の寸法Ｗ１が、外観品質としてバランスの良好な所望の寸法Ｗ１＝約３６００ｍｍとされて、外観品質を向上させることが出来る。
【００５９】
また、前記開口部の両側に位置する前記建物ユニット１１，１１の間に、前記Ｕ字状階段１３が、挟まれて、ユニット建物１０が構成されている。
【００６０】
このため、このユニット建物１０によって構成される集合住宅では、Ｕ字状階段１３の両側に振り分けられた各建物ユニット１１，１１に設けられる世帯の住戸４，４間に、前記Ｕ字状階段１３で構成される共有スペースとしての玄関ポーチ１８を設ける場合でも、間口方向の寸法Ｗ１＝３６００ｍｍと、従来の開口に比して狭いので、面積を最小限として、スペース効率を良好なものとすることができる。
【００６１】
しかも、この実施の形態では、最も手前に位置する建物ユニット１１，１１の外壁面５から、Ｕ字状階段１３の端縁部１３ａが、寸法Ｄ１（Ｄ１＝約９００ｍｍ）のみ突設されているので、前記正面辺１６内の階段を構成する段部２１…及び、正面玄関上踊り場２４部分のみが、外壁面５から外側に位置して、屋根部２９の張り出し面積や、手摺り部２６の延設長さ等を減少させて、建材の部品点数の増大を抑制できる。
【００６２】
更に、この実施の形態では、前記吹き抜け部１４が、前記外壁面５よりも、ユニット建物１０の内側に位置するように構成されている。
【００６３】
このため、この吹き抜け部１４を通じて、一階の各住戸４，４の個別玄関４ａ，４ａ前の玄関ポーチ部１８に、前記張り出された屋根部２９によって、雨水の落下侵入を防止しながら、上方からの採光を、到達させることができる。
【００６４】
よって、前記外観品質の良好な正面玄関の２枚扉の玄関ドア２８内側に、前記一階の玄関ポーチ１８が存在しても、充分な採光量と開放感を得られ、レイアウトの自由度を向上させたプランニングが可能となる。
【実施例１】
【００６５】
図３及び図４は、この発明の実施の形態の実施例１の階段構造を示すものである。
【００６６】
なお、前記実施の形態と同一乃至均等な部分については、同一符号を付して説明する。
【００６７】
この実施例１では、前記実施の形態の縦壁部２５及び手摺り部２６に代えて、図３に示すような左右対称形状のタイル貼りデッキ調手摺り部３０が設けられている。
【００６８】
このタイル貼りデッキ調手摺り部３０には、正面視で、前記正面玄関上踊り場２４部分と、段部２１…との接合部を挟んで、左右幅方向に対称に２枚の目隠しボード部材２７が設けられている。
【００６９】
このように構成された実施例１の階段構造では、前記タイル貼りデッキ調手摺り部３０によって、左右非対称の構造を有する前記Ｕ字状階段１３の正面辺１６が覆われて、外観品質を、良好なものとすることが出来る。
【００７０】
他の構成及び作用効果については、前記実施の形態と、同一乃至均等であるので説明を省略する。
【００７１】
以上、図面を参照して、本発明の実施の形態を詳述してきたが、具体的な構成は、この実施の形態に限らず、本発明の要旨を逸脱しない程度の設計的変更は、本発明に含まれる。
【００７２】
即ち、前記実施の形態の階段構造では、Ｕ字状階段１３の段数を、前記上下方向で、下部に位置する右辺１７の段部２２が、上面視略正方形形状の下側コーナー踊り場２３を含めて、６段、中央部に位置する正面辺１６の段部２１…が、前記正面玄関上踊り場２４を含めて、５段、上部に位置する前記左辺１５の段部２０…が、上階玄関ポーチ部１８を含めて、４段と設定されているが、特にこれに限らず、例えば、前記右辺１７の段部２２の段数を、５〜７段とすると共に、正面辺１６の段部２１の段数を、４〜６段として、左辺１５の段部２０の段数を、３〜５段としても良く、上部に位置する左辺１５の段部２０の段数よりも、下部に位置する右辺１７の段部２２の段数が多くなるように設定されるものであればよい。
【図面の簡単な説明】
【００７３】
【図１】この発明の最良の実施の形態の階段構造で、Ｕ字状階段が、建物ユニット間の開口部中央に配設されたユニット建物を示す水平断面図である。
【図２】実施の形態の階段構造が用いられるユニット建物の外観を説明する斜視図である。
【図３】実施の形態の実施例１の階段構造で、階段部の正面図である。
【図４】実施の形態の実施例１の階段構造で、要部の水平断面図である。
【図５】従来例の階段構造で、集合住宅の構成を説明する水平断面図である。
【符号の説明】
【００７４】
１０          ユニット建物（建物）
１１、１２    建物ユニット
１３          Ｕ字状階段（階段）
１３ａ        端縁部
１５          左辺（上部の辺）
１６          正面辺（中央部の辺）
１７          右辺（下部の辺）
２０，２１，２２
段部
２３          下側コーナー踊り場
２４          正面玄関上踊り場
【図１】
2008057219.tif 000003
【図２】
2008057219.tif 000004
【図３】
2008057219.tif 000005
【図４】
2008057219.tif 000006
【図５】
2008057219.tif 000007